Podtech/llm-jp-corpus-v4-ja_patent huggingface dataset:
(57)【要約】      （修正有）【課題】目的外赤外線の侵入を防御できるシンプルな構造のピンポイント赤外線受信孤立死防止警報機を提供する。【解決手段】警報盤１、連結ケーブル２、カウントタイマー３、赤外線受信機４の一端にピンポイント赤外線ガイド５、と赤外線ガイド開口遮蔽板６を設ける。赤外線受信機は赤外線を受信した場合にカウントタイマーにリセット信号を送り、カウントタイマーはリセット信号を受信しない限り、設定時間をカウントした場合に連結ケーブルを介して警報盤を作動させる。赤外線受信機が備えるセンサー部には前方に向かって一直線となる様赤外線ガイド遮蔽板に装着されたピンポイント赤外線ガイドを有しているので目的外赤外線による反応を防止できる。【選択図】図１
0003185652.tif 000002
【実用新案登録請求の範囲】
【請求項１】
警報盤（１）、連結ケーブル（２）、カウントタイマー（３）、赤外線受信機（４）、ピンポイント赤外線ガイド（５）、赤外線ガイド開口遮蔽板（６）を設けた、ピンポイント赤外線受信孤立死防止警報機
【考案の詳細な説明】
【実用新案の属する技術分野】
【０００１】この実用新案は赤外線ガイド開口遮蔽板（６）及びピンポイント赤外線ガイド（５）、を赤外線受信機（４）、カウントタイマー（３）、連結ケーブル（２）、警報盤（１）、に組み合わせて、一人暮らしの人もしくは介護者と非介護者の家庭に於いて単独居住者、もしくは介護者が動かなくなってしまった場合の、ピンポイント赤外線受信孤立死防止警報機に関するものである。
【背景技術】
【０００２】電気、瓦斯、水道、テレビ等生活用品検知もしくはセキュリティ方式でセンサー、蓄電池、カメラ、無線機、受信機、サーバー、衛星、電話、携帯電話、メール等使用して検知、第三者の介入により管理運営するものがある。
【解決しようとする課題】
【０００３】これらは次のような欠点があった。
複雑で大掛かりなものもあり第三者によって運営管理され、シンプル性が無く、常に監視されている様な気がしプライバシーが気になる。又毎月支払う高い管理費が生活に余裕のない居住者や、老人には負担である、更に母子家庭、老老介護家庭、認知症家庭等の介護家庭に於いて非介護者の動き行動、及び犬猫ペット飼育家庭等に於いてはセンサー機器が目的外赤外線に反応し、介護者元気、と誤判断してしまう場合がある。本実用新案は以上の問題の欠点を解決する為になされたものである。
【解決する為の手段】
【０００４】赤外線受信機（４）のセンサー（７）の前面に、ピンポイント赤外線ガイド（５）、赤外線ガイド開口遮蔽板（６）、を設け後方装置の赤外線受信機（４）、カウントタイマー（３）、連結ケーブル（２）、警報盤（１）を設ける。本実用新案は以上の構成より成るピンポイント赤外線受信孤立死防止警報機である。
【考案実施の形態】
【０００５】以下本実用新案の実施の形態について説明する
赤外線受信機（４）のセンサー部（７）の直前に、赤外線ガイド開口遮蔽板（６）を設け、ピンポイント赤外線ガイド（５）を赤外線受信機のセンサー（７）より前方に向かって一直線になるよう赤外線ガイド開口遮蔽板に挿着し、後方装置の赤外線受信機（４）、カウントタイマー（３）、連結ケーブル（２）、警報盤（１）を連結する。
本実用新案は以上のような構造、組み合わせでこれを使用する時、一人暮らしの対象者は１日の平均睡眠時間＋６時間をカウントタイマー（３）に設定。室内の本人がよく通過する場所高さ約１．２メートルでピンポイント赤外線ガイド（５）を横切れる位置に水平固定設置する。又、小さい子の居る母子家庭、老老介護家庭、アルツハイマー認知症介護家庭等の非介護者のいる家庭は、介護者が一日の平均起床している時間＋６時間をカウントタイマー（３）に設定し、介護者寝室の本人の眠った状態での足から頭部に掛けての延長線上空床上約７０センチメートルの高さで寝起きに邪魔にならぬ頭部の近い位置［図４］の（８）と（１０）の如く間隔を取り水平固定設置する。双方とも警報盤は家外の人の見やすい位置へ取付け連結ケーブル（２）で配線接続する。以上で準備完了し電源を投入する。カウントタイマー（３）が設定した時間を減算して行く。設定時間内にピンポイント赤外線ガイド（５）の前面に対象者が入ると赤外線受信機より、カウントタイマー（３）にリセット信号を送り、設定した時間に対しリセットが掛かり、スタート時点に戻り０から再カウント開始する。赤外線の侵入が設定時間内に一度も無かった場合、カウントタイマーと連結している警報盤が始めて作動し、外部へ救助を求めるものである。
【考案の効果】
【０００６】老老介護家庭、母子家庭、認知症家庭、犬猫ペット飼育家庭等は、介護者寝室の眠る７０センチ上空を鋭利な一直線状の特定部位赤外線待ち受け範囲となる開口赤外線遮蔽板（６）、に挿着したピンポイント赤外線ガイド（５）、により非介護者等周辺から派生する目的外赤外線の侵入を防御し、対象者である介護者の動向赤外線のみを赤外線受光部へ受信させる為、非介護者や犬猫ペットの目的外赤外線を防御することが可能である。又、電気瓦斯水道の検知センサー、セキュリティ方式、パソコン、カメラ、サーバー、通信機、メール、電話、携帯電話、蓄電池、無線機、衛星、等による大掛かりで第三者の管理運営する方式は毎月の維持管理費が老人高齢者や母子家庭にとって負担であり、日日のプライバシーの心配もある。その為殆んど普及していないのが現状であり、孤立死は現在の社会問題となっている。本ピンポイント赤外線受信孤立死防止警報機は維持管理費０、電池交換等消耗品無し、プライバシーは完全保護され、配線一本と本体を置くだけのシンプルなシステムで電話、携帯電話の無い人も機器の作動に何ら影響するものでなく、周辺の人々と助け合うものであり、広く普及するものである。
【図面の簡単な説明】
【０００７】
【図１】  本実用新案の分解斜視図である。
【図２】  本実用新案の側面図である。
【図３】  本実用新案の正面図である
【図４】  本実用新案の連結設置配置図である。
【符号の説明】
【０００８】１  警報盤
２  連結ケーブル
３  カウントタイマー
４  赤外線受信機
５  ピンポイント赤外線ガイド
６  赤外線ガイド開口遮蔽板
７  赤外線受信機内センサー部
８  寝具
９  介護者
１０  符号（１）（２）（３）（４）（５）（６）の挿着連結合体したピンポイント赤外線受信孤立死防止警報機
【図１】
0003185652.tif 000003
【図２】
0003185652.tif 000004
【図３】
0003185652.tif 000005
【図４】
0003185652.tif 000006
【手続補正書】
【提出日】平成25年6月5日(2013.6.5)
【手続補正１】
【補正対象書類名】実用新案登録請求の範囲
【補正対象項目名】全文
【補正方法】変更
【補正の内容】
【実用新案登録請求の範囲】
【請求項１】
赤外線受信機とカウントタイマーと警報盤とを有する赤外線受信孤立死防止警報機に於いて、前記赤外線受信機は赤外線を受信した場合にカウントタイマーにリセット信号を送り、前記カウントタイマーは前記リセット信号を受信することなく、設定時間をカウントした場合に連結ケーブルを介して警報盤を作動させる様構成させると共に，前記赤外線受信機が備えるセンサー部には前方に向かって一直線となる様赤外線ガイド遮蔽板に装着されたピンポイント赤外線ガイドを有する事を特徴とする赤外線受信孤立死防止警報機。
(57)【要約】      （修正有）【課題】縦横のサイズが異なる豆腐を、きれいに１つに盛り付けることができる専用の容器を提供する。【解決手段】豆腐用に利用できるよう薬味入れ３を設け、縦横のサイズが異なるいろいろな種類の豆腐を盛り付けられるよう、縁のある横長の容器１のうち、中央部分２の幅を広くし、その縁が容器の底に対して高くなるとともに、容器の外側に向けて傾斜したことを特徴とする。【選択図】図２
0003185659.tif 000002
【実用新案登録請求の範囲】
【請求項１】
縦横のサイズが異なるいろいろな種類の豆腐を盛り付けることができて、薬味入れの付いていることを特徴とする、縁のある豆腐用の容器。
【考案の詳細な説明】
【技術分野】
【０００１】  本考案は、縦横の長さが異なるいろいろな豆腐を楽しみたい人に、どのようなサイズでも１つに盛り付けることができる、縁のある容器に関するものである。
【背景技術】
【０００２】  豆腐を冷奴で食べるときなど、縦と横のサイズがそれぞれ異なるものを、無駄なく１つにきれいに盛り付ける専用の容器はなく、適当な平皿で済ませることが多い。
【考案の概要】
【考案が解決しようとする課題】
【０００３】  これは、つぎのような欠点があった。
平皿は大きなサイズのものを用いれば、横長の豆腐も、上から見た形が正方形に近いものも盛り付けることができるが、いずれにせよ適当なサイズがなく、また醤油や薬味といっしょに食べるときも、箸で最後まできれいにすくい取ることが難しい。
本考案は、以上のような欠点をなくすためになされたものである。
【課題を解決するための手段】
【０００４】  横長の容器１の中央部分２の幅を広くして、片方の端に薬味入れ３を設ける。
本考案は、以上の構成よりなる、縁のある豆腐用の容器である。
【考案の効果】
【０００５】  上述の様に、中央部分の幅を広くすることによって、横長以外のいろいろなサイズの豆腐も１つの容器に盛り付けることができ、縁に高さを設けることで、スプーンなどを使って豆腐、醤油、薬味をきれいにすくい取ることができる。また容器の端の部分に薬味入れを設けることで、冷奴専用の容器として利用することができる。
【図面の簡単な説明】
【０００６】
【図１】本考案を上から見た図である。
【図２】本考案を横やや斜め上から見た図である。
【考案を実施するための形態】
【０００７】  以下、本考案を実施するための形態について説明する。
横長の容器１のうち、中央部分２の幅を広くしてある。
容器に縁を設け、縁は外側に向かってやや傾斜をつける。
片方の端には、薬味入れ３のためのスペースを設ける。
本考案は、以上のような構造である。
【実施例】
【０００８】  横長の豆腐を盛り付けるときは、横に長いスペース１を利用し、上から見ると正方形に近い豆腐の場合は、中央部分の幅の広いスペース２を利用する。【０００９】  薬味は、横長の容器の片方の端にある薬味入れ３に盛り付ける。【００１０】  １  豆腐入れＡ
２  豆腐入れＢ
３  薬味入れ
【図１】
0003185659.tif 000003
【図２】
0003185659.tif 000004
【手続補正書】
【提出日】平成25年6月6日(2013.6.6)
【手続補正１】
【補正対象書類名】実用新案登録請求の範囲
【補正対象項目名】全文
【補正方法】変更
【補正の内容】
【実用新案登録請求の範囲】
【請求項１】
横長の容器の中央部分の幅を広くするとともに、容器に縁を設け、その縁が容器の底に対して高くなるとともに、容器の外側に向けて傾斜していることを特徴とする豆腐用の容器。
(57)【要約】      （修正有）【課題】ビニールハウスのビニールフィルムの展張作業を高所によることなく、少人数で行うことができるビニールハウスのビニール展張補助具を提供する。【解決手段】直径１９ｍｍ程度の中空鋼管などをＵ字型に加工し、中心部にはビニールハウスの腰パイプから天井パイプの距離の７〜８割の長さの直管が溶接などで接合されており、且つ直管の終端にはビニールハウスの腰パイプに適合する大きさのＬアングル材を短く切ったものが接合されていることを特徴とする。【選択図】図１
0003185655.tif 000002
【実用新案登録請求の範囲】
【請求項１】
一般的に入手が容易な直径19ｍｍ程度の中空鋼管などを高さ・幅共50ｃｍ程度のＵ字型に加工し、U字中心部にハウス腰パイプから天井パイプの距離の7〜8割の長さの直管を溶接などで接合する。
また直管の終端にはビニールハウスの腰パイプに適合する大きさのＬアングル材を短く切ったものを接合しておく。これを（ハウスの全長/約5ｍ）の個数用意する。
ビニールフィルムはあらかじめハウスの骨組みに沿って地面に長辺方向に展開されているものとする。
手順  1
作業者はまず、ハウス端から順に、補助具のU字型の部分にビニールフィルムを乗せ入れ、4〜5ｍおきにハウス腰パイプに立てかけていく。ハウスの終端まで達した後、
今度は逆の順に（つまりハウス終端より）補助具を持上げ補助具終端のLアングル材部分を腰パイプに掛けていく。このとき、それ自身の重さにより、風が多少あってもビニールフィルムはハウスの頂上付近で安定した状態を保つ。また各補助具の間にはアーチパイプがあるためビニールフィルムが極端に垂れ下がることは無い。なお腰パイプに補助具を逆順で掛けるのは、ビニールフィルム自体の水平移動を相殺するためである。
手順  2
この後、作業者はハウスの両側に分かれ、端より順にフィルムを展張していく。それと同時に補助具を順次はずしていく。
なお接合したLアングル材はハウス腰パイプ上で補助具自体を安定させると同時に、手順1で地面に立てる際、直管内に土が入ったり、地面に刺さり込むのを防ぐ役目もある。
【考案の詳細な説明】
【考案の概要】
【考案の効果】
【０００１】
この道具により、従来３人以上が必要だったビニールフィルムの展張作業を２人で楽に行えるようになった。
【図面の簡単な説明】
【０００２】
【図１】図1  は本補助具の外形と構造を示したものです
【図２】図2は  本補助具の使用方法及び手順を示したものです
【図１】
0003185655.tif 000003
【図２】
0003185655.tif 000004
【手続補正書】
【提出日】平成25年6月25日(2013.6.25)
【手続補正１】
【補正対象書類名】実用新案登録請求の範囲
【補正対象項目名】全文
【補正方法】変更
【補正の内容】
【実用新案登録請求の範囲】
【請求項１】
直径19ｍｍ程度の中空鋼管などをＵ字型に加工し、中心部にはビニールハウスの腰パイプから天井パイプの距離の7〜８割の長さの直管が溶接などで接合されており、且つ直管の終端にはビニールハウスの腰パイプに適合する大きさのＬアングル材を短く切ったものが接合されているビニールハウスのビニール展張補助具。
(57)【要約】      （修正有）【課題】スマートフォン専用のスタンドであって液晶画面が拡大され、手で支えなくてもスマートフォンを自立させられるスタンドを提供する。【解決手段】方形状の枠体１の中央に長方形の窓部３を設け、拡大レンズ２を窓部の枠体に裏側から接着し、枠体の下部に平板状の台座５を水平状に設け、台座にコの字状の切込み８を設け、切込みの内側に形成された舌片状の押さえ部４の前辺の中央に支持片６を設け、切込みを入れた押さえ部の相対側の台座に２つのつめ７を設けたスマートフォン専用スタンドとする。【選択図】図１
0003185649.tif 000002
【実用新案登録請求の範囲】
【請求項１】
方形状の枠体の中央に長方形の窓部を設け、拡大レンズを窓部の枠体に裏側から接着し、枠体の下部に平板状の台座を水平状に設け、台座にコの字状の切込みを設け、切込みの内側に形成された舌片状の押さえ部の前辺の中央に支持片を設け、切込みを入れた押さえ部の相対側の台座に２つのつめを設けたスマートフォン専用スタンド。
【考案の詳細な説明】
【技術分野】
【０００１】  本考案はスマートフォンの液晶画面を拡大できるスマートフォン用スタンドに関するものである。
【背景技術】
【０００２】  従来、動画などみる時に使用する吸盤型や立て掛け式のスマートフォン用スタンドがあった。
【考案の概要】
【考案が解決しようとする課題】
【０００３】  そのために、次のような問題があった。
（イ）  動画をみる時、液晶画面が小さく細かい部分（スポーツの得点や字幕スーパー        ）がみづらかった。
（ロ）  動画をよりみやすくするには手でスマートフォンを支えなければならなかった        。
（ハ）  吸盤型スタンドは長時間使用していると支えきれなくなりやすく、その都度手        を換えて持ち直さなければいけない。
本考案は、これらの問題点を解決するためになされたものである。
【課題を解決する為の手段】
【０００４】  枠体の中央に窓部を設け拡大レンズを窓部の裏側から接着し枠体の下部に台座を設けたスマートフォン用専用スタンド。
【発明の効果】
【０００５】  本考案のスタンドにスマートフォンを装着して動画をみる時などは液晶画面が拡大され動画などがみやすく、スマートフォンを手で支えなくても、スマートフォンをスタンドに固定できる。
【図面の簡単な説明】
【０００６】
【図１】  本考案の斜視図
【図２】  本考案の側面図
【図３】  本考案のスマートフォンを使用した場合の斜視図
【図４】  本考案のスマートフォンを使用した場合の側面図
【考案を実施するための形態】
【０００７】  以下、本考案の実施の形態について説明する。
（イ）  方形状の枠体（１）の中央に長方形の窓部（３）を設け、拡大レンズ（２）を窓      部（３）の周囲の枠体（１）に裏側から接着し、枠体（１）の下部に平板状の台座      （５）を水平に状態を設ける。
（ロ）  台座（５）の中央にコの字状の切込み（８）を設け、切込み（８）の内側に形成      された舌片状の押さえ部（４）を設ける。
（ハ）  押さえ部（４）前辺の中央に支持片（６）を下方に垂下させて設ける。
（ニ）  切込み（８）を入れた押さえ部（４）の相対側の台座に２つのつめ（７）を上方      に突出するように設ける。
本考案は以上のような構成で、これを使用するときは支持片（６）とつめ（７）の間にスマートフォンを挟み、窓部（３）から覗いてスマートフォンの画面をみることが出来る。
【符号の説明】
【０００８】    １  枠体
２  拡大レンズ
３  窓部
４  押さえ部
５  台座
６  支持片
７  つめ
８  切込み
９  スマートフォン
【図１】
0003185649.tif 000003
【図２】
0003185649.tif 000004
【図３】
0003185649.tif 000005
【図４】
0003185649.tif 000006
(57)【要約】      （修正有）【課題】ＣＯ２を排出せず、有機化合物を比較的低温で炭化する電気式有機化合物炭化分解装置を提供する。【解決手段】有機物を炭化させる熱源に電気式ヒーター８と電気式温風送風機１を用いる。電気式ヒーター８にて筐体３全体を温め、温風送風機１の温風を温風噴出し口４より加えながら回転駆動モーター６にて筐体を回転しながら有機化合物と触媒とを満遍なく攪拌し使用する。【選択図】図１
0003185650.tif 000002
【実用新案登録請求の範囲】
【請求項１】
有機化合物を炭化する為の熱源に電気のみを利用する事を特徴とする電気式有機化合物炭化分解装置。
【請求項２】
有機化合物を分解炭化する為に触媒を用い、温風噴出し口よりの温風とヒーターにて熱を加えながら乾燥させ満遍なく混ぜる請求項１記載の電気式有機化合物炭化分解装置
【請求項３】
有機化合物を分解炭化する触媒は、特許第４８９４０５５号に記載された触媒である請求項２記載の電気式有機化合物炭化分解装置。
【考案の詳細な説明】
【技術分野】
【０００１】この考案は、電気式有機化合物炭化分解装置に関する。
【背景技術】
【０００２】従来の有機化合物を炭化する装置は熱源をガス等の化石燃料を利用し、バーナーを利用し加熱するものである。
【先行技術文献】
【特許文献】
【０００３】
【特許文献１】特開平１０−１８３１３５号公報
【考案の概要】
【考案が解決しようとする課題】
【０００４】しかしながら、以上の技術によれば、炭化炉等設備の熱源には化石燃料を使いバーナーにて加熱をしなければならず、ＣＯ２を排出し環境に悪影響を及ぼす。
そこで、この考案は、ＣＯ２を排出せず、有機化合物を比較的低温で炭化する事を課題とする。
【課題を解決するための手段】
【０００５】以上の課題を解決するために、本考案は、有機化合物を炭化する為の熱源に電気のみを利用する事を特徴とする。
また、有機化合物を分解炭化する為に特許第４８９４０５５号の触媒を用い、筐体を回転させて満遍なく攪拌しながら温風が出る噴出し口からの温風にて乾燥し、比較的低温で有機化合物を炭化できる事を特徴とする。
【考案の効果】
【０００６】本考の有機化合物炭化分解装置は、有機化合物を炭化する為の熱源に電気のみを利用する事を特徴とする電気式有機化合物炭化分解装置であるから、熱源は燃焼させるバーナーを使用しないので、有機物の炭化工程において加熱機がＣＯ２等の有害物質を排出せず、比較的低温で有機化合物を炭化出来るという効果がある。【０００７】また、請求項２のように、有機化合物を分解炭化する為に触媒を用い、温風噴出し口よりの温風とヒーターにて熱を加えながら乾燥させ満遍なく混ぜるようにしているので、炭化率が良いという効果がある。
また、請求項３のように、有機化合物を分解炭化する触媒として、特許第４８９４０５５号の触媒を使用することにより、炭化された物はカーボンで資源であり、燃料、土壌改良材等への転用が可能であるという効果がある。
【図面の簡単な説明】
【０００８】
【図１】本考案の電気式有機化合物炭化分解装置の実施形態を示す斜視図である。
【考案を実施するための形態】
【０００９】この考案の実施形態を、図１に示す。
炭化炉の筐体３は鉄製であり、内側には攪拌をする為の板９が付いている。筐体３の表面には熱源となる電気式ヒーター８を装備している。その電気式ヒーター８と、温風送風機１と温風噴出し口４により筐体３内の有機物を回転駆動モーター６と、ベルト５により筐体３を回転させながら加熱、攪拌を行い有機化合物を炭化させていく。加熱温度は約２００℃〜３００℃程度である。加熱時間は約１時間〜４時間程度で、炭化完了後有機物投入口２より取り出し、炭化完了となる。筐体３は電気式温風送風機１と支柱７により回転軸が支持されている。温風噴出し口４の内側は空洞になっており、電気式温風送風機１からの温風を噴出す仕組みとなっている。触媒は特許第４８９４０５５号の触媒で、筐体３内に有機化合物に対して３〜５％の触媒を有機化合物とともに投入する。筐体３の大きさは有機化合物の処理量に応じて適宜設定をすればよいものであり、直径約６０ｃｍのドラム缶の様なものを採用すると小型化が図れるという効果がある。
【産業上の利用可能性】
【００１０】有機化合物を簡単に炭化でき、今まで埋め立てをしていた有機化合物を減量できる。
炭化された残留物は減量されているので、処理量が少なくて済む。
加えて有機化合物を炭化させるに当たり、熱源に化石燃料を利用しない為、環境に優しい物となる。
【符号の説明】
【００１１】１．電気式温風送風機      ２．有機物投入口      ３．筐体
４．温風噴出し口          ５．回転駆動ベルト    ６．回転駆動モーター
７．支柱                  ８．電気式ヒーター    ９．攪拌板
【図１】
0003185650.tif 000003
【手続補正書】
【提出日】平成25年5月10日(2013.5.10)
【手続補正１】
【補正対象書類名】実用新案登録請求の範囲
【補正対象項目名】全文
【補正方法】変更
【補正の内容】
【実用新案登録請求の範囲】
【請求項１】
支柱により回転軸が支持された円筒状の筐体と、前記筐体を回転させるための回転駆動モーターと、前記筐体内部に温風噴出し口を有する温風送風機とを備えた電気式有機化合物炭化分解装置において、前記円筒状の筐体は、内表面に電気式ヒーターを備えており、前記温風送風機が電気式であることを特徴とする電気式有機化合物炭化分解装置。
(57)【要約】      （修正有）【課題】食事中、あるいは料理中に箸をちょいと傍らの食器やボール、鍋の中に置いて、手を放したとき、ころっと箸がテーブルや調理台に落ちるのを防ぐ重心低下安定箸を提供する。【解決手段】箸の上部三分の一の芯をくり抜いて、空洞化し、箸の重心を下に移動させる。【選択図】図１
0003185664.tif 000002
【実用新案登録請求の範囲】
【請求項１】
家庭の食事や料理に使う普通の長さの箸や料理に使う長い押え箸の上部の３分の１を中の芯をくりぬいて空洞にし、てっぺんの穴を同じ材質あるいはより軽い材質で蓋をし、箸の上部を軽くし、箸を鍋、食器、ボールなどにちょいと置いたとき、箸がテーブルや調理台にころっと落ちないように、箸の重心を従来よりかなり下にずらした重心低下安定箸。
【考案の詳細な説明】
【技術分野】
【０００１】  料理用の長い押え箸や普通の箸の重心を低下させ安定させる。
【考案の概要】
【０００２】  料理をしているとき、押え箸を使い終わって、鍋や器、ボールなどに箸を入れて、手を放すようなことがある。この時、押え箸が長いため、重心が上に重くなってしまい、鍋や器、ボールから外へ落ちてしまうことがしばしばある。これはけっこう大きな動きで落ちるので、かなり不快である。そこでこのような時、押え箸が落ちないよう、上を軽くして、重心が下にいくようにすればよいと考えた。また、普通の箸でも、上部から下部にかけてだんだん細くなっているため、上が重く下が軽いので食事中ちょいと皿などに置いたとき皿などからころっと落ちることがしばしばあるので、このようなことも併せて解決できる。
【考案が解決しようとする課題】
【０００３】箸の重心を従来より下に低下させたい。
【課題を解決するための手段】
【０００４】  箸の上部３分の一の芯をくり抜いて、空洞化する。これによって箸の上部が軽くなり重心がかなり下に移動する。
【考案の効果】
【０００５】箸の重心が下に移動することにより、食事中や料理中に箸をちょいと傍らの食器やボール、鍋の中に置いて手を放したとき、ころっと落ちるのを防げる。
【図面の簡単な説明】
【０００６】
【図１】本考案の重心低下安定箸の正面図である。
【図２】同側面図である。
【図１】
0003185664.tif 000003
【図２】
0003185664.tif 000004
【手続補正書】
【提出日】平成25年5月17日(2013.5.17)
【手続補正１】
【補正対象書類名】実用新案登録請求の範囲
【補正対象項目名】請求項１
【補正方法】変更
【補正の内容】
【請求項１】
料理に使う長い菜箸や食事に使う普通の箸の上部の３分の一を中の芯をくり抜いて空洞にし、てっぺんの穴を同じ材質あるいはより軽い材質で蓋をし、箸の上部を軽くし、箸全体の重心を従来よりかなり下にずらし低くする。これにより料理や食事の途中で箸を鍋、食器、ボールなどに、ちょいと置いたとき、箸が調理台や食卓に、ころっと落ちないようにした重心低下安定箸。
【手続補正２】
【補正対象書類名】明細書
【補正対象項目名】０００２
【補正方法】変更
【補正の内容】
【０００２】  料理をしているとき、菜箸を使いながら、鍋や器、ボールなどにちょいと入れて、手を放すことがある。このとき、菜箸が長いため、重心が上に重くなってしまい、鍋や器、ボールなどから外へ落ちてしまうことがしばしばある。これはけっこう大きな動きで落ちるので、不快である。そこでこのような時、菜箸が落ちないように、上を軽くして、重心が下にいくようにすればよいと考えた。また普通の箸でも、上部から下部にかけてだんだん細くなっているため、上が重く下が軽いので、食事中ちょいと皿などに箸をおいたとき皿などからころっと落ちることがある。このようなことも併せて解決できる。
(57)【要約】 【課題】  これまでは、ふとんカバー等ずれ防止や襟カバーを取り付ける際に、糸で縫いつける手間の時間と留め具に使われている金属針の危険が憂慮されていたが、安全性が高く取り扱いも容易で安価な寝具用襟カバー留め具を提供すること。【解決手段】  拡大頭部１１を有する柔軟性のある素材により形成されたピン本体１０と、このピン本体１０の針部１２が挿入される透孔２２と、この透孔２２に挿通された前記針部１２の先端を折り曲げて固定するためのフック部２３とを備えた一方の針受部２１と、この針受部２１の一端にヒンジ部２４を介して開閉自在に固定された他方の蓋部２５とから成る針受本体２０を持った形状とする寝具用襟カバー留め具とした。【選択図】  図２
0003185953.tif 000002
【実用新案登録請求の範囲】
【請求項１】
拡大頭部を有する柔軟性のある素材により形成されたピン本体と、このピン本体の針部が挿入される透孔と、この透孔に挿通された前記針部の先端を折り曲げて固定するためのフック部とを備えた一方の針受部と、この針受部の一端にヒンジ部を介して開閉自在に固定された他方の蓋とから成る針受容器本体を有することを特徴とした寝具用襟カバー留め具。
【請求項２】
前記針受容器の針受部と蓋部は略楕円球体であることを特徴とする請求項１に記載の寝具用襟カバー留め具。
【考案の詳細な説明】
【技術分野】
【０００１】
この考案は、ふとんカバー等ずれ防止と掛け布団等の襟汚れ防止のためのカバー留め具に関するものである。
【背景技術】
【０００２】
従来のふとんカバー等ずれ防止の留め具や安全ピンは、例えば特開平１０−５２３４９号公報に示されているように金属を使用しており危険な状況にあった。
【先行技術文献】
【特許文献】
【０００３】
【特許文献１】特開平１０−５２３４９号公報
【考案の概要】
【考案が解決しようとする課題】
【０００４】
ふとんカバー等ずれ防止や襟カバーを取り付ける際には、糸で縫い付けをする手間がかかり、はずす際にもハサミを使用しなければならず、安全ピンの場合はピンがはずれて危険なこともある。また再度取り付ける場合は同じ作業をしなくてはならず、時間と危険が付きまとっていたが、本考案は前記の欠点を解決するものである。
【課題を解決するための手段】
【０００５】
拡大頭部を有する柔軟性のある素材により形成されたピン本体と、このピン本体の針部が挿入される透孔と、この透孔に挿通された前期針部の先端を折り曲げて固定するためのフック部とを備えた一方の針受部と、この針受部の一端にヒンジ部を介して開閉自在に固定された他方の蓋とから成る針受本体を持った形状とする寝具用襟カバー留め具
【考案の効果】
【０００６】
本考案は、針部分に柔軟性のある素材を使用し、針受け部分は２重ロック方式で取付け後も安心して使用でき、ふとん生地を傷めず短時間の作業で済み、再利用が可能である。
【図面の簡単な説明】
【０００７】
【図１】本考案の取付け状況図である。
【図２】本考案の取付け状況図である。
【図３】本考案の取付け状況図である。
【図４】本考案のピン本体の正面図である。
【図５】本考案の針受容器の展開図である。
【実施例】
【０００８】
以下に本考案の実施例を図を参照して詳細に説明する。
本考案は、ピン本体１０と針受容器本体２０とから成る。
ピン本体１０は拡大頭部１１とこの拡大頭部１１の中心部から垂設された針部１２を備えている。
針受容器本体２０は針受部２１に透孔２２を1か所とフック部２３を2か所備え、針受容器本体の一端にヒンジ部２４を介して開閉自在の蓋部２５を設け、蓋部２５には針受部２１に固定する蓋ロック部２６により針受部２１に固定される。
また使用しない場合は、ピン本体１０を針容器本体２０のピン本体収納溝部２７に固定してピン本体１０の紛失を防ぐものとする。
【０００９】
図４のピン本体１０から垂設された針部１２をふとんとふとんカバーと共に裏側より刺し込み、表側まで通し、突き出た針部１２を図５の針受部２１の透孔部２２に透してからフック部２３の左右どちらかに折り曲げて１回目の安全固定をし、続いて蓋部２５で蓋をして蓋ロック部２６で２回目の安全固定をするため、安全性が高く、取り扱いも容易な寝具類等の留め具として使用できるものである
【符号の説明】
【００１０】
１０  ピン本体
１１  拡大頭部
１２  針部
２０  針受容器本体
２１  針受部
２２  透孔部
２３  フック部
２４  ヒンジ部
２５  蓋部
２６  蓋ロック部
２７  ピン本体収納溝部
【図１】
0003185953.tif 000003
【図２】
0003185953.tif 000004
【図３】
0003185953.tif 000005
【図４】
0003185953.tif 000006
【図５】
0003185953.tif 000007
(57)【要約】      （修正有）【課題】セパレーターと躯体鉄筋との間に別途ボルト等で締め付け固定できる構造を持ったセパ溶接用連結金物を提供する。【解決手段】厚さ２．３〜３．２ｍｍの帯鋼をＵ字状に曲げて対面した帯の一方の端部を直角程度曲げて鉄筋締付け用ボルト４の空回りを防止する回り止め直角加工部３にすると共に、他方の帯をセパ溶接部９として供する目的で長めにした。セパ溶接用連結金物に溶接されたセパ８から該金物が受ける荷重を曲げ荷重から引張り荷重に変える形状、即ち躯体鉄筋７に掛かる部分をＵ字状にすることで耐荷重の向上と生産コストの低減を成す。【選択図】図２
0003185939.tif 000002
【実用新案登録請求の範囲】
【請求項１】
厚さ２．３〜３．２ｍｍの帯鋼をＵ字状に曲げて対面した帯の一方の端部を直角程度曲げて鉄筋締付け用ボルトの空回りを防止し、他方の帯をセパ溶接部として供する目的で長めにしたセパ溶接用連結金物。
【考案の詳細な説明】
【技術分野】
【０００１】  鉄筋コンクリート造の建築物の型枠の支保工事に際しては一般に型枠に挟まれた空間にセパレーターを設けて該引張り力により対面する型枠を支えているが、構造上型枠が対面しない場合も多々ある。
この場合に型枠を支保する方法としてセパレーターの一端を躯体鉄筋に連結させているが例えば躯体鉄筋に直接溶接して連結すると該鉄筋が劣化するとの理由で禁止されている。
そこでセパレーターと躯体鉄筋との間に別途ボルト等で締め付け固定できる構造を持った金物を躯体鉄筋にセットしておき、該金物にセパレーターの一端を溶接し固定ている。
本考案は該金物に関する。
【背景技術】
【０００２】  従前、上述のセパ溶接用連結金物は鋼板を補強リブ付で概ねコの字状に曲げ加工し、該対面する一方の面にはボルトを設け、他方の面は鉄筋を該二面の間に銜えてボルトを締め込んだとき、鉄筋が滑り逃げない様に「く」の字状に曲げ加工してある。
【考案の概要】
【考案が解決しようとする課題】
【０００３】  上述のごとくの現行のセパ溶接用連結金物は、コの字の対面する一方のボルトを締め込んだとき該締め込み力でコの字が開いて鉄筋を挟む力が低下しない様コの字の縁をリブ状に曲げ加工しなければならない。即ち原材料の鋼板を全体としてコの字に曲げながら且つ該縁をリブ状に加工するという複雑な加工のために生産性が悪く、結果的に製造原価が高くなっている。
【課題を解決するための手段】
【０００４】  上述のごとく現行のセパ溶接用連結金物はコの字状の間に鉄筋を挟んでコの字の外側からボルトを締めて固定しようとしているためコの字の対面する部分は片持ち梁と同じ状態で外力を受けていることになる。そのため高い曲げ応力が求められるので該縁にリブ加工を施すなどして曲げ応力を高める必要がある。
以上のことを踏まえて本考案者は躯体鉄筋に固定した時、両持ち梁と同じ状態の荷重が掛かる、換言すれば引張り荷重を受けて鉄筋に固定されるセパ溶接用連結金物を開発することに成功した。引張り荷重で固定されるということは極めて簡単な形状でより大きな耐荷重を持ち得るということを暗示している。【０００５】  以下、本考案を図に従い、詳しく説明する。
図１は本考案によるセパ溶接用連結金物のイメージ図であり、ここで本体部分１は厚さ２．３〜３．２ｍｍの規格品の鋼板を長方形に切り出して曲げ加工してあり、Ｒ部２は躯体鉄筋が嵌まる部分、直角曲げ部３は本体１を躯体鉄筋に締付けるためのボルト４の頭の回転を制御し、ナット５を回して締め込んだときの空回りを防いでいる。
本体１の鋼板が厚過ぎるとナット５を締め込んだときＲ部２が躯体鉄筋を絞るように即ち本体１が躯体鉄筋に固定されるように変形しない可能性がある。一方該鋼板が薄過ぎるとセパを溶接したとき溶接不良を起こしたり生コン打設時に型枠に掛かる圧力に耐えられない可能性があるので前述の厚さを規定する必要がある。
図２は該セパ溶接用連結金物を躯体鉄筋７に取り付けてセパ８を溶接したときの断面図であり、ここで符号９は溶接部である。この断面図から明らかなようにセパ８に矢印１０に荷重が掛かったとき本体１の鋼板は引張り荷重を受けるだけである。なお符号６はボルト４の頭である。
結局本体１は曲げ荷重を受けないのでリム部を設けるなどの複雑な加工は必要なく、このことが材料費と製造コストの低減に寄与している。
【考案の効果】
【０００６】  本考案品は、従前のセパ溶接用連結金物に比べて製造原価が低いだけでなく鋼板の引張り強度を利用する形状を成しているので即ち、曲げ強度に頼らない形状をしているのでより高い耐荷重性が得られる。
【図面の簡単な説明】
【０００７】
【図１】  本考案品のイメージ図
【図２】  本考案品をセットしたときの断面図
【考案を実施するための形態】
【０００８】  鋼板を帯状に載断したものの端部をボルトが空回りしないよう直角曲げ加工し、次に内寸が取付けの対象となる鉄筋の最外径と等しくなるようにＵ字状に曲げ加工する。その上で対面する鋼板を貫通するボルト孔を該ボルトのネジ部外周面とＵ字加工部に納まる鉄筋が接する位置に開ける。
【産業上の利用可能性】
【０００９】  本考案によるセパ溶接用連結金物は高い耐荷重性を有するだけでなく従前のものに比べて製造コストが極めて低いので産業上の利用の可能性は非常に大きいと考えられる。
【符号の説明】
【００１０】  １，  本考案品の本体
２，  Ｒ部
３，  回り止め直角加工部
４，  ボルト
５，  締付け用ナット
６，  ボルトの頭
７，  躯体鉄筋
８，  セパ
９，  溶接部
１０，  荷重の向き
【図１】
0003185939.tif 000003
【図２】
0003185939.tif 000004
(57)【要約】      （修正有）【課題】バッテリーよりも長時間点灯させることができ、保管場所も不要で、一般家庭の建物から大型のビルまで、建築物の種類を問わず設置が可能な非常用照明を提供する。【解決手段】配電盤等に設置されている日常使用している既存の照明器具やコンセント用のブレーカー３の前後どちらかに切り替えの装置１を設け、片方は商用電源６に接続しておき、残りの片方をコンセント式にしておき発電機２からの出力を接続できるようにしておく。災害等で停電発生時には商用電源から小型の発電機等に切り替えて、発電機等から既存の照明器具に電力を供給し照明を確保する。【選択図】図１
0003185936.tif 000002
【実用新案登録請求の範囲】
【請求項１】
分電盤等に照明器具等の電源である商用電源と発電機等を切り替えるための切り替え装置および発電機等を接続するための接続器具を設置しておき、災害時等による停電時に発電機等を接続コードにて接続器具に接続し、切り替え装置にて商用電源から発電機等に切り替えることにより、手軽で安全に長時間点灯可能な災害時等の非常用照明および電源の確保が可能になることを特徴とする非常用照明
【考案の詳細な説明】
【技術分野】
【０００１】  本考案は、震災等災害時に小型の発電機等を使用し、既存の照明器具を点灯することによる照明の確保に関するものである。
【背景技術】
【０００２】  従来の非常用照明は、壁・天井直付けのバッテリー搭載型の非常用照明器具か、工事現場で使用するような組み立て式の照明器具を別途保管し、停電時に設置し点灯させていた。
【先行技術文献】
【特許文献】
【非特許文献】
【非特許文献１】
【考案の概要】
【考案が解決しようとする課題】
【０００３】  バッテリーを使用した非常用照明は点灯時間が短く震災時には役に立たない。工事現場で使用するような組み立て式の照明器具は保管場所が必要となり、常時使用するものではないため保管中に故障している可能性が高く、設置場所を別途確保する必要があり経済的負担も大きく、設置後に余震等で転倒する可能性もあり危険である。したがって既存の照明器具を商用電源から小型の発電機等に切り替えて点灯させることで前述の点を解決しようとするものである。
【課題を解決するための手段】
【０００４】  本考案は、配電盤等に設置されている日常使用している既存の照明器具やコンセント用のブレーカーの前後どちらかに切り替えるための装置を設け、片方は商用電源に接続しておき、残りの片方をコンセント式にしておき発電機からの出力を接続できるようにしておく。災害等で停電発生時には商用電源から小型の発電機等に切り替えて、発電機等から既存の照明器具に電力を供給し照明を確保することにより問題点を解決している。
【考案の効果】
【０００５】  上述のように、本考案の非常用照明の確保においては、既存の照明器具を使用することにより、照明器具の保管場所を必要とせず、日常使用していることにより故障の心配もなく、切り替え器や接続用コンセントをあらかじめ設置しておくことで、誰でもが照明の確保を行うことが可能となり安全面だけでなく経済的にも有利である。また、バッテリーより長時間点灯させることができるので、特に震災等の災害時には有効な照明確保の手段となる。さらに、建築物の新築時から壁面等に発電機接続部および切り替え装置を設置することより、より安全で簡易に照明確保ができるようになる。
【図面の簡単な説明】
【０００６】
【図１】本考案の設置、配線を示す実施例を示す回路図である。
【図２】本考案の切り替え装置を分電盤に設置することを想定した実施例を示す回路図である。
【考案を実施するための形態】
【０００７】  停電に備えた準備として、安全ブレーカーの前後どちらかに切り替え装置を取り付けておき、照明器具等に対し商用電源と発電機等を切り替えられるようにしておく。発電機等から切り替え装置に接続するための接続器具を取り付けておく。停電発生時には、発電機等の出力から接続コードで本接続器具に接続する。発電機等を起動したのちに、切り替え装置を商用電源側から発電機等へ切り替える。照明器具は発電機等から電力を供給されるようになり点灯する。
【実施例】
【０００８】  以下、添付図面に従って一実施例を説明する。１は商用電源と発電機等を切り替えるための切り替え装置、２は商用電源に代わり電力を供給するための発電機またはバッテリー等、３は安全ブレーカー、４は発電機等に切り替わる照明器具、５は発電機等に切り替わらない照明器具、６は商用電源で停電の場合電力の供給が停止する、７は接続器具でここへ８の接続コードを用いて２の発電機等を接続し電力を供給する。【０００９】  停電時には２の発電機等を８の接続コードで７の接続器具に接続する。２の発電機等を起動して電力を供給できる状態にする。１の切り替え器具を発電機等の側へ切り替えることで４の非常照明が発電機等から供給される電力で点灯する。【００１０】  復電時には５の通常照明はそのまま商用電源で点灯する。４の非常照明は１の切り替え装置を商用電源側に切り替えることで、発電機等から切り離され商用電源で点灯する。突然複電しても本考案では事故になることはない。
【符号の説明】
【００１１】１  切り替え装置
２  発電機等
３  安全ブレーカー
４  非常照明
５  通常照明
６  商用電源
７  接続器具
８  接続コード
９  分電盤
【図１】
0003185936.tif 000003
【図２】
0003185936.tif 000004
(57)【要約】      （修正有）【課題】本体を両肩（肌）に直接粘着させ、ブラジャーのストラップを本体のすき間に通すことで、ストラップが肩からすべり落ちるのを防止するすべり落ち防止具を提供する。【解決手段】底面４を両肩（肌）に直接粘着させ、すき間５にストラップを通すことにより、ストラップがフック底部３に引っ掛り肩からすべり落ちるのを防止する。よって集中力を維持しストレスからも解放される。【選択図】図１
0003185931.tif 000002
【実用新案登録請求の範囲】
【請求項１】
底面に粘着機能を付与し、上方にフック部を設けたすべり落ち防止具本体と合成樹脂により形成する。このすべり落ち防止具本体を一対製作し、使用者の左右の肩に上記粘着機能を利用してそれぞれを粘着し、ブラジャーのストラップを前期フック部に停止させて、ブラジャーのストラップのすべり落ちを防止するブラジャーのストラップすべり落ち防止具。
【考案の詳細な説明】
【技術分野】
【０００１】  本考案は、女性が体を動かすことで、ブラジャーのストラップが肩からすべり落ちるのを止めることで、ストレスから解放させることが出来るブラジャーのストラップすべり落ち防止具に関するものである。
【背景技術】
【０００２】  従来はブラジャーのストラップが肩からすべり落ちた際には、今までの動作を中断して片方の手で落ちたストラップを上着の上から掴み取り元の肩に戻していた。
【先行技術文献】
【特許文献１】  特開２０１２−１１２０８５号  公報
【特許文献２】  特開２００３−０５５８２４号  公報
【考案の概要】
【考案が解決しようとする課題】
【０００３】  従来は自動車運転によるハンドル操作、作業、スポーツ等腕を動かす動作をした時に、ブラジャーのストラップが肩からすべり落ちてしまう。この時いつ元に戻そうかとストレスが生じ集中力が切れてしまう。これに対して本考案では、ブラジャーの肩ストラップのすべり落ち防止具を、両肩（肌）に直接粘着させ、そこにブラジャーのストラップを通すことでストラップが引っ掛り、肩からのすべり落ちを防止することで前述の欠点を解決しようとするものである。
【課題を解決するための手段】
【０００４】  本考案のストラップすべり落ち防止具は柔らかい素材で形成し、底面には粘着性を付与していることから、両肩（肌）に簡単に粘着させることが出来る。さらに本考案のフック部分（すき間）にブラジャーのストラップを通すことでフックの底面に引っ掛り、肩からすべり落ちるのを防止することにより問題点を解決している。
【考案の効果】
【０００５】  従来からブラジャーのストラップがすべり落ちるのを防ぐ技術はあるが、本考案とは形状が全く異なる。さらに取り扱いが大変難しい。【０００６】  上述の様に、本考案を両肩（肌）に直接粘着させフック部分（すき間）にストラップを通すことで、ブラジャーのストラップが肩からすべり落ちるのを防止する効果がある。またストラップが肩からすべり落ちるのを防止することでストレスから解放され、自動車運転、作業、スポーツ中でも集中力を維持することが出来る。【０００７】  ブラジャーのストラップを内側（首側）にずらすことで簡単に外すことが出来る、またすべり落ち防止具本体も必要以外は肩からはがすことができ、繰り返し使用出来る。
【図面の簡単な説明】
【０００８】
【図１】本考案のブラジャーのストラップすべり落ち防止具の実施例を示す横方向からの見取り図である。
【図２】ブラジャーのストラップすべり落ち防止具を着け、ストラップを通した状態での正面図である。
【考案を実地するための形態】
【０００９】  図２はブラジャーの肩ストラップのすべり落ち防止具の使用例である。図示のように両肩（肌）にフックの底部３が外側になるように底面４を粘着させ、内側のすき間５からストラップを通す。その際２フック部をその撓みを利用して上方に上げるとすき間が広くなり、よりストラップを通しやすくなる。
【００１０】  使用中はストラップがフックの底部３に引っ掛り外側（腕側）にすべり落ちない、またストラップを外す時はストラップを内側（首側）にずらせばよい。さらに本体１に粘着性を付与している為、使用が終わったらはがすことができ、繰り返し使用することが出来る。
【００１１】  本体１は使用者の体型に応じたサイズとすれば利便性に優れたものとなる。
【符号の説明】
【００１２】    １    すべり落ち防止具本体
２    フック部
３    フックの底部
４    底面（粘着部）
５    ストラップ
【図１】
0003185931.tif 000003
【図２】
0003185931.tif 000004
(57)【要約】      （修正有）【課題】常時飲み薬を服用する人が、外出時に飲み薬の服用を忘れないようにする、ペットボトル用収納部付アダプターを提供する。【解決手段】ペットボトルの口ネジに取り付けて使用するアダプター１であって、上部は収納空間２ａを有する円筒形をなし、その外周にペットボトルのキャップに螺合可能なネジ山２ｂを設けた収納部２と、下部は収納部と一体をなしてその内側にペットボトルの口ネジ部に螺合可能なねじ山を設けたキャップ部３とからなる。【選択図】図１
0003185934.tif 000002
【実用新案登録請求の範囲】
【請求項１】
ペットボトルの口ネジ部に取り付けて使用するアダプターであって、上部は収納空間を有する円筒形をなし、その外周にペットボトルのキャップに螺合可能なネジ山を設けた収納部で、下部は該収納部と一体をなしてその内側にペットボトルの口ネジ部に螺合可能なねじ山を設けたキャップ部とからなる、ペットボトル用収納部付アダプター。
【考案の詳細な説明】
【技術分野】
【０００１】  本考案は、ペットボトルのネジ部に取り付けて使用する、ペットボトル用収納部付アダプターに関するものである。
【背景技術】
【０００２】  従来、常時飲み薬を服用する人は、外出時には飲み薬を別途携帯していた。そのため服用を忘れる場合もあった。
【考案の概要】
【考案が解決しようとする課題】
【０００３】  常時飲み薬を服用する人は、外出時には飲み薬を別途携帯していたが、そのため服用を忘れる場合もあった。
飲み薬を服用するときは通常水と一緒に嚥下する。従って外出時にペットボトルにセットしておけば薬の飲み忘れを防止できる。
本考案は、薬を服用するときだけではなく、例えば本考案の収納部に抹茶や茶葉をセットしておけば、ペットボトルに水を入れておくだけでお茶を飲むことができる。
本考案はそのためのペットボトル用収納部付アダプターを提供する。
【課題を解決するための手段】
【０００４】  上部は収納空間を有する円筒形をなし、その外周にペットボトルのキャップに螺合可能なネジ山を設けた収納部で、下部は該収納部と一体をなしてその内側にペットボトルの口ネジ部に螺合可能なねじ山を設けたキャップ部とからなる、ペットボトル用収納部付アダプターである。
【考案の効果】
【０００５】  常時飲み薬を服用する人は、外出時には飲み薬を別途携帯していたが、そのため服用を忘れる場合もあった。
外出時に本考案をペットボトルにセットしておけば、薬の飲み忘れを防止できるし、携帯にも便利である。
また、外出時だけではなく、在宅時でも複数の本考案をセットしておけば薬の飲み忘れを防止できる。
さらに、本考案の収納部に抹茶や茶葉をセットしておけば、ペットボトルに水を入れておくだけでお茶を飲むことができる。
【図面の簡単な説明】
【０００６】
【図１】本考案の斜視図
【図２】本考案の正面図（左半分断面図）
【図３】本考案をペットボトルにセットした状態の正面図
【図４】本考案をペットボトルに２個セットした状態の正面図
【考案を実施するための形態】
【０００７】  本考案を図１及び図２により説明する。
上部は円筒形の収納部（２）で、その内部は収納空間（２ａ）となっており、該収納部（２）の外周にはペットボトルのキャップ（５）に螺合できるネジ部（２ｂ）を設ける。
下部は上記収納部（２）と一体をなすキャップ部（３）で、その内側にペットボトル（４）の口ネジ（４ａ）に螺合できるネジ部（３ａ）を設ける。
【０００８】  本考案のアダプター（１）を使用するときは、例えば薬の服用に使用するとき、収納部（２）の収納空間（２ａ）に薬の錠剤等を服用可能の状態にして入れ、ペットボトル（４）のペットボトルのキャップ（５）を外してペットボトル（４）の口ネジ（４ａ）に本考案のアダプター（１）のキャップ部（３）を螺合し、収納部（２）にペットボトルのキャップ（５）を螺合して取り付ける。（図３）
【０００９】  また、本考案のアダプター（１）は複数取り付けることが可能なので、薬の服用について言えば、本考案のアダプター（１）を２個取り付けて２回分の服用薬を用意するとか３個取り付けて３回分の服用薬を用意することが可能である。（図４）
【００１０】  本考案によりお茶を飲みたいときは、本考案のアダプター（１）の収納部（２）に抹茶や茶葉をセットしてペットボトルのキャップ（５）を螺合して取り付け、ペットボトル（４）の口ネジ（４ａ）に本考案のアダプター（１）を取り付けてペットボトル（４）に水を入れておくだけで必要なときお茶を飲むことができる。
【符号の説明】
【００１１】  １    本考案のアダプター
２    収納部
２ａ  収納空間
２ｂ  ネジ部
３    キャップ部
３ａ  ネジ部
４    ペットボトル
４ａ  口ネジ
５    ペットボトルのキャップ
【図１】
0003185934.tif 000003
【図２】
0003185934.tif 000004
【図３】
0003185934.tif 000005
【図４】
0003185934.tif 000006